(57)【要約】      （修正有）【課題】水との接触により長期にわたり優れた水浄化能力を発揮する水浄化剤を提供する。【解決手段】炭粉と、水中の有害物質を消費する菌および／または該菌の培養物を乾燥してなる粒状物と、を含む混合物からなる粒体状水浄化剤２であり、前記菌がＥｍｐｅｄｏｂａｃｔｏｒ属細菌のＳＩＩＤ２９２６−１ｂ株（ＦＥＲＭ  ＡＰ−２０１０８）である粒体状水浄化剤である。前記炭粉が、南洋材を炭化焼成してなる炭由来の炭粉を含む粒体状水浄化剤であり、前記炭粉が、気乾比重０．５以下の木材を炭化焼成してなる炭由来の炭粉を含む粒体状水浄化剤である。また、前記炭粉が、木材を４５０℃以上８００℃未満で炭化焼成してなる炭由来の炭粉を含む粒体状水浄化剤である。【選択図】図１
0003141250.tif 000002
【実用新案登録請求の範囲】
【請求項１】
炭粉と、水中の有害物質を消費する菌および／または該菌の培養物を乾燥してなる粒状物と、を含む混合物からなる粒体状水浄化剤。
【請求項２】
前記菌がＥｍｐｅｄｏｂａｃｔｏｒ属細菌のＳＩＩＤ２９２６−１ｂ株（ＦＥＲＭ  ＡＰ−２０１０８）である請求項１に記載の粒体状水浄化剤。
【請求項３】
前記炭粉が、南洋材を炭化焼成してなる炭由来の炭粉を含む請求項１または２に記載の粒体状水浄化剤。
【請求項４】
前記炭粉が、気乾比重０．５以下の木材を炭化焼成してなる炭由来の炭粉を含む請求項１または２に記載の粒体状水浄化剤。
【請求項５】
前記炭粉が、木材を４５０℃以上８００℃未満で炭化焼成してなる炭由来の炭粉を含む請求項１から４のいずれかに記載の粒体状水浄化剤。
【請求項６】
請求項１から５のいずれかに記載の粒体状水浄化剤が通水性の壁を有する容器または袋に収納されてなる水浄化剤。
【請求項７】
請求項６に記載の水浄化剤が浮きに連結されてなる浮遊性水浄化剤。
【考案の詳細な説明】
【技術分野】
【０００１】
本考案は、水に接触させてその水を浄化する水浄化剤に関する。
【背景技術】
【０００２】
水に接触させることによりその水を浄化することについては活性炭や炭などの炭素材を他素材と複合的に使用した方法やそのための部材が幾多知られている。（例えば、特許文献１、２参照）これらは汚水中の不純物を活性炭や炭に吸着させることにより水の浄化を行うものであり、活性炭や炭の吸着サイトが不純物等の被吸着物で飽和してしまうと浄化能力が失われるので、頻繁な交換を要する場合が多い。
【０００３】
一方、活性炭や炭を有機物を消費する好気性菌などの菌の担体として利用することにより水処理を行う方法が開示されている。（例えば、特許文献３参照）この方法は汚水中に自然生息している菌が担体に自然に付着することを利用するものであり、その菌が汚水中の有機物を栄養素として増殖して汚泥となり、浄化能力が低下する問題がある。
【特許文献１】特開２０００−２３３１８９号公報
【特許文献２】特開２００７−８３１号公報
【特許文献３】特開２０００−１７６４８９号公報
【考案の開示】
【考案が解決しようとする課題】
【０００４】
本考案の目的は、水との接触により優れた水浄化能力を発揮する水浄化剤を提供しようとすることである。
【課題を解決するための手段】
【０００５】
本考案の要旨とするところは、炭粉と、水中の有害物質を消費する菌および／または該菌の培養物を乾燥してなる粒状物と、を含む混合物からなる粒体状水浄化剤であることにある。
前記菌はＥｍｐｅｄｏｂａｃｔｏｒ属細菌のＳＩＩＤ２９２６−１ｂ株（ＦＥＲＭ  ＡＰ−２０１０８）であり得る。
【０００６】
前記炭粉は、南洋材を炭化焼成してなる炭由来の炭粉を含み得る。
【０００７】
前記炭粉は、気乾比重０．５以下の木材を炭化焼成してなる炭由来の炭粉を含み得る。
【０００８】
前記炭粉は、木材を４５０℃以上８００℃未満で炭化焼成してなる炭由来の炭粉を含み得る。
【０００９】
また、本考案の要旨とするところは、前記粒体状水浄化剤が通水性の壁を有する容器または袋に収納されてなる水浄化剤であることにある。
【００１０】
さらに、本考案の要旨とするところは、前記水浄化剤が浮きに連結されてなる浮遊性水浄化剤であることにある。
【考案の効果】
【００１１】
本考案によると、水との接触により優れた水浄化能力を発揮する水浄化剤及びその製造方法が提供される。
【考案を実施するための最良の形態】
【００１２】
本考案の粒体状水浄化剤は、炭粉と、水中の有害物質を消費する菌（以下浄化用菌と称する）および／またはその浄化用菌の培養物を乾燥してなる粒状物と、を含む混合物からなる粒体状の水浄化剤である。粒体とは多数の粒状物が集合したものをいう。本考案における粒状物は微細な物体をいい、剛体の粒子のみを意味するものではない。
【００１３】
浄化用菌としては、Ｂａｃｉｌｌｕｓ属細菌、Ｃｌｏｓｔｒｉｄｕｉｍ属細菌、Ｔｈｅｒｍｕｓ属細菌、Ｐｓｅｕｄｏｍｏｎａｓ属細菌、Ｅｍｐｅｄｏｂａｃｔｏｒ属細菌から選択される１または複数種の菌が挙げられる。なかでも、本考案の粒体状水浄化剤に用いられる菌としては、Ｅｍｐｅｄｏｂａｃｔｏｒ属細菌が好ましい。Ｅｍｐｅｄｏｂａｃｔｏｒ属細菌のなかでも、ＳＩＩＤ２９２６−１ｂ株（ＦＥＲＭ  ＡＰ−２０１０８）が本考案の粒体状水浄化剤の水浄化性能のうえで最も好ましい。
【００１４】
本考案の粒体状水浄化剤に含まれる浄化用菌は、乾燥により休眠状態にある菌である。粒体状水浄化剤が水中に投入されるなどして水と接触することにより、浄化用菌が吸湿して活性化し、炭粉の粒子の吸着作用と相俟って優れた水浄化能力を発揮する。
【００１５】
粒体状水浄化剤の未使用時に、この粒体状水浄化剤に含まれる浄化用菌が湿潤状態にあり活性化していると、粒体状水浄化剤の未使用時に、この菌が異常増殖して腐敗し、水浄化能力が充分発揮されない場合がある。
【００１６】
浄化用菌は比較的強いアルカリ性の水の中では増殖が制限されるので、粒体状水浄化剤が水に接触している状態では、炭の近傍の水がアルカリ性となることにより、浄化用菌の過度の増殖が抑制される。これにより、浄化用菌の過度の増殖による汚泥の発生が抑制され、過度に増殖した菌により汚水と炭粉粒子との接触が妨げられて炭の吸着能力が低下するという現象も抑制され、浄化能力が長期にわたり維持される。
【００１７】
炭粉としては木、竹、籐、籾殻、等の植物由来のセルロース系物質の炭化物が粒状物してなるものが用いられる。炭粉の粒子の粒径は０．００１〜１ｍｍであることが好ましい。炭粉としては南洋材を原料とする炭が粉砕されてなる炭粉が好適に用いられる。南洋材は国産材に比べて成長が速く細胞組織が粗くて大きいので、多孔質の炭化物の細孔のサイズが大きく、水処理時にこの細孔に浄化用菌がはまりやすく、安定した浄化用菌の担持がなされ、浄化用菌の浄化活動が円滑に行なわれ、なら、かしなどの細胞組織の密な国産材の炭粉を使用した場合に比べると、優れた水浄化効果が得られる。また、炭粉に代えて粉状の活性炭を用いた場合は細孔のサイズが炭に比べさらに小さいので、浄化用菌が水処理時にさらに安定して担持されにくく、長期にわたる優れた水浄化効果を得ることができない。
【００１８】
このような南洋材としては、ラミン、ゴム、ラワン、カポール、テレンタン、メランティ、ゲロンガン、ピサンピサン、ファルカータ、プナ、ケンパス、バラン、ビンタングル、ニャトー、アガチス、が例示されるが成長が速く細胞組織が粗くて大きいものであればこれらに限定されない。
【００１９】
南洋材に限らず、本考案において使用する木材の気乾比重が０．５以下であることが細孔のサイズが大きい炭化物を使用できて好ましい。例えば、気乾比重０．５以下の桐、杉類、松類のような木材であることが好ましい。
【００２０】
また、炭粉に用いる炭としては上記セルロース系物質が４５０℃以上、８００℃未満で炭化焼成されたものであることが好ましい。炭化焼成温度が、例えばいわゆる白炭や備長炭におけるように、８００℃以上であると、炭が過度にアルカリ性となり、水処理時に浄化用菌の増殖や活動が妨げられて浄化能力が最大限には発揮されない傾向にある。炭化焼成温度が４５０℃を下回ると炭が酸性となり、水処理時に浄化用菌の増殖や活動が妨げられて浄化能力が最大限には発揮されない傾向にある。
【００２１】
炭粉は、炭を公知の粉砕手段により粉砕して得てもよい。おがくずや木材の粉砕物などの、木材の粒状物を焼成して得てもよい。
【００２２】
本考案の粒体状水浄化剤は、未使用状態では浄化用菌が乾燥により休眠状態にあるので性能を低下させることなく未使用状態での長期の保存が可能である。
【００２３】
また、本考案においては、浄化用菌を用いるかわりに浄化用菌の培養物を用いてもよい。浄化用菌とその培養物とが混合された混合培養物を用いてもよい。培養物とは浄化用菌の培養に用いた培地と浄化用菌の育成に伴ってその培地に放出された化合物や酵素を含むものをいう。浄化用菌自体が水中の化合物を消費して分解できるが、浄化用菌が産生する酵素等も同様の機能を有すると考えられる。
【００２４】
本考案の粒体状水浄化剤は、炭粉１００重量部に対して、浄化用菌および／またはその培養物５〜２００重量部（乾燥重量換算）が配合されてなることが好ましい。
【００２５】
本考案においては、浄化用菌および／またはその培養物の乾燥物とは、その浄化用菌および／またはその培養物の水分率が５０重量％以下であるものをいう。
【００２６】
本考案の粒体状水浄化剤は、汚水に浸漬して静置しておく態様で浄化を行う他に、流水の経路の一部分に配置してその流水と接触させる態様で浄化を行うこともできる。
【００２７】
本考案の粒体状水浄化剤は、接着剤により固化・成形されていないので、炭の活性表面が接着剤により一部分でも封鎖されることがなく、活性表面を浄化のため最大限利用できる。また、浄化用菌の活動が接着剤により制限されることがなく、菌の浄化能力を最大限利用できる。
【００２８】
また、図１に示すように、本考案の粒体状水浄化剤２は、使用時に汚水中に散逸することを防止するために、布袋、金網製容器等の通水性の壁を有する容器または袋４に収納されて使用されることが好ましい。このような態様の水浄化剤１０は、使用後の回収も容易である。
【００２９】
また、図２に示すように、この水浄化剤１０を発泡スチロール製ブロック等の浮き１２に連結した浮遊性水浄化剤１４は、湖沼等水面近傍に留まらせることにより水浄化を効率的に行わせることができる。
【００３０】
本考案の粒体状水浄化剤は、浄化用菌として上記ＳＩＩＤ２９２６−１ｂ株（ＦＥＲＭ  ＡＰ−２０１０８）を用いた場合、グリストラップの槽等の油分を含む汚水の浄化にとくに有効である。
【００３１】
実施例１
浄化用菌の培養
水４００重量部に浄化用菌（Ｅｍｐｅｄｏｂａｃｔｏｒ属細菌のＳＩＩＤ２９２６−１ｂ株（ＦＥＲＭ  ＡＰ−２０１０８））０．５重量部、グルコース１０重量部、ペプトン５重量部、酵母エキス２．５重量部を添加し、３０℃で５日間培養し培養液を得た。この配合比率によるこの培養液４０００重量部に米糠１００００重量部、コーヒー粕１０００重量部、蜂蜜２重量部を加え、発酵熱による温度上昇に注意しつつ５５℃を超えないように適宜攪拌して５日間静置培養し混合培養物を得た。この混合培養物を自然乾燥して乾燥物を得た。この乾燥物の水分率は１５％であった。
【００３２】
炭粉
南洋材であるファルカータを約６００℃で乾留して得た炭を粉砕し、平均粒径約０．５ｍｍの炭粉としたものを用いた。
粒体状水浄化剤
【００３３】
上記炭粉１００重量部、上記乾燥物１０重量部を加えて攪拌混合して粒体状水浄化剤を得た。この粒体状水浄化剤１００ｇを２０ｃｍ方形の通水性の布製の袋に封入して水浄化剤（Ａ）とした。
【００３４】
浄化テスト
汚水として小規模個人経営の食堂のグリストラップの槽にこの水浄化剤（Ａ）を投入した。投入後、槽内のベトベトした油分が徐々に喪失し、この効果は１ヶ月持続した。投入後１月ごとにこの水浄化剤を未使用のものに交換することにより、槽内をサラサラな液の状態に維持できた。
【００３５】
比較例１
布製の袋の内容物を上記乾燥物１００ｇのみとしたほかは実施例１と同様にして水浄化剤（Ｂ）とした。実施例１と同様のグリストラップの槽にこの水浄化剤（Ｂ）を投入した。投入後、槽内のベトベトした油分の喪失はほとんどみられなかった。
【００３６】
実施例２
乾燥物として、上水道用の浄化槽で採取した、Ｂａｃｉｌｌｕｓ属細菌を含有する活性汚泥を乾燥したもの（水分率１５重量％）を用いた他は実施例１と同様にして水浄化剤（Ｃ）を得た。得られた水浄化剤（Ｃ）を、ＣＯＤが５０ｐｐｍの汚水を５０リットル入れた汚水槽に投入した。投入から２４時間後の汚水のＣＯＤは２５ｐｐｍであった。
【００３７】
その他、本考案は、主旨を逸脱しない範囲で当業者の知識に基づき種々なる改良、修正、変更を加えた態様で実施できるものである。
【図面の簡単な説明】
【００３８】
【図１】本考案の水浄化剤の態様の一例を示す斜視模式図である。
【図２】本考案の浮遊性水浄化剤の態様の一例を示す斜視模式図である。
【符号の説明】
【００３９】
２：粒体状水浄化剤
４：袋
１０：水浄化剤
１２：浮き
１４：浮遊性水浄化剤
【図１】
0003141250.tif 000003
【図２】
0003141250.tif 000004
【手続補正書】
【提出日】平成20年2月15日(2008.2.15)
【手続補正１】
【補正対象書類名】実用新案登録請求の範囲
【補正対象項目名】全文
【補正方法】変更
【補正の内容】
【実用新案登録請求の範囲】
【請求項１】
炭粉と、水中の有害物質を消費する菌および／または該菌の培養物を乾燥してなる粒状物と、を含む混合物からなる粒体状水浄化剤が通水性の容器または袋に収納されてなる水浄化材。
【請求項２】
前記菌がＥｍｐｅｄｏｂａｃｔｏｒ属細菌のＳＩＩＤ２９２６−１ｂ株（ＦＥＲＭ  ＡＰ−２０１０８）である請求項１に記載の水浄化材。
【請求項３】
前記炭粉が、南洋材を炭化焼成してなる炭由来の炭粉を含む請求項１または２に記載の水浄化材。
【請求項４】
前記炭粉が、気乾比重０．５以下の木材を炭化焼成してなる炭由来の炭粉を含む請求項１または２に記載の水浄化材。
【請求項５】
前記炭粉が、木材を４５０℃以上８００℃未満で炭化焼成してなる炭由来の炭粉を含む請求項１から４のいずれかに記載の水浄化材。
【請求項６】
請求項５に記載の水浄化材が浮きに連結されてなる浮遊性水浄化材。
【手続補正２】
【補正対象書類名】明細書
【補正対象項目名】全文
【補正方法】変更
【補正の内容】
【考案の詳細な説明】
【技術分野】
【０００１】
本考案は、水に接触させてその水を浄化する水浄化材に関する。
【背景技術】
【０００２】
水に接触させることによりその水を浄化することについては活性炭や炭などの炭素材を他素材と複合的に使用した方法やそのための部材が幾多知られている。（例えば、特許文献１、２参照）これらは汚水中の不純物を活性炭や炭に吸着させることにより水の浄化を行うものであり、活性炭や炭の吸着サイトが不純物等の被吸着物で飽和してしまうと浄化能力が失われるので、頻繁な交換を要する場合が多い。
【０００３】
一方、活性炭や炭を有機物を消費する好気性菌などの菌の担体として利用することにより水処理を行う方法が開示されている。（例えば、特許文献３参照）この方法は汚水中に自然生息している菌が担体に自然に付着することを利用するものであり、その菌が汚水中の有機物を栄養素として増殖して汚泥となり、浄化能力が低下する問題がある。
【特許文献１】特開２０００−２３３１８９号公報
【特許文献２】特開２００７−８３１号公報
【特許文献３】特開２０００−１７６４８９号公報
【考案の開示】
【考案が解決しようとする課題】
【０００４】
本考案の目的は、水との接触により優れた水浄化能力を発揮する水浄化材を提供しようとすることである。
【課題を解決するための手段】
【０００５】
本考案の要旨とするところは、炭粉と、水中の有害物質を消費する菌および／または該菌の培養物を乾燥してなる粒状物と、を含む混合物からなる粒体状水浄化剤が通水性の容器または袋に収納されてなる水浄化材であることにある。
であることにある。
【０００６】
前記菌はＥｍｐｅｄｏｂａｃｔｏｒ属細菌のＳＩＩＤ２９２６−１ｂ株（ＦＥＲＭ  ＡＰ−２０１０８）であり得る。
【０００７】
前記炭粉は、南洋材を炭化焼成してなる炭由来の炭粉を含み得る。
【０００８】
前記炭粉は、気乾比重０．５以下の木材を炭化焼成してなる炭由来の炭粉を含み得る。
【０００９】
前記炭粉は、木材を４５０℃以上８００℃未満で炭化焼成してなる炭由来の炭粉を含み得る。
【００１０】
さらに、本考案の要旨とするところは、前記水浄化材が浮きに連結されてなる浮遊性水浄化材であることにある。
【考案の効果】
【００１１】
本考案によると、水との接触により優れた水浄化能力を発揮する水浄化材が提供される。
【考案を実施するための最良の形態】
【００１２】
本考案に用いられる粒体状水浄化剤は、炭粉と、水中の有害物質を消費する菌（以下浄化用菌と称する）および／またはその浄化用菌の培養物を乾燥してなる粒状物と、を含む混合物からなる粒体状の水浄化剤である。粒体とは多数の粒状物が集合したものをいう。本考案における粒状物は微細な物体をいい、剛体の粒子のみを意味するものではない。
【００１３】
浄化用菌としては、Ｂａｃｉｌｌｕｓ属細菌、Ｃｌｏｓｔｒｉｄｕｉｍ属細菌、Ｔｈｅｒｍｕｓ属細菌、Ｐｓｅｕｄｏｍｏｎａｓ属細菌、Ｅｍｐｅｄｏｂａｃｔｏｒ属細菌から選択される１または複数種の菌が挙げられる。なかでも、本考案に用いられる粒体状水浄化剤に用いられる菌としては、Ｅｍｐｅｄｏｂａｃｔｏｒ属細菌が好ましい。Ｅｍｐｅｄｏｂａｃｔｏｒ属細菌のなかでも、ＳＩＩＤ２９２６−１ｂ株（ＦＥＲＭ  ＡＰ−２０１０８）が本考案に用いられる粒体状水浄化剤の水浄化性能のうえで最も好ましい。
【００１４】
本考案に用いられる粒体状水浄化剤に含まれる浄化用菌は、乾燥により休眠状態にある菌である。粒体状水浄化剤が水中に投入されるなどして水と接触することにより、浄化用菌が吸湿して活性化し、炭粉の粒子の吸着作用と相俟って優れた水浄化能力を発揮する。
【００１５】
粒体状水浄化剤の未使用時に、この粒体状水浄化剤に含まれる浄化用菌が湿潤状態にあり活性化していると、粒体状水浄化剤の未使用時に、この菌が異常増殖して腐敗し、水浄化能力が充分発揮されない場合がある。
【００１６】
浄化用菌は比較的強いアルカリ性の水の中では増殖が制限されるので、粒体状水浄化剤が水に接触している状態では、炭の近傍の水がアルカリ性となることにより、浄化用菌の過度の増殖が抑制される。これにより、浄化用菌の過度の増殖による汚泥の発生が抑制され、過度に増殖した菌により汚水と炭粉粒子との接触が妨げられて炭の吸着能力が低下するという現象も抑制され、浄化能力が長期にわたり維持される。
【００１７】
炭粉としては木、竹、籐、籾殻、等の植物由来のセルロース系物質の炭化物が粒状物してなるものが用いられる。炭粉の粒子の粒径は０．００１〜１ｍｍであることが好ましい。炭粉としては南洋材を原料とする炭が粉砕されてなる炭粉が好適に用いられる。南洋材は国産材に比べて成長が速く細胞組織が粗くて大きいので、多孔質の炭化物の細孔のサイズが大きく、水処理時にこの細孔に浄化用菌がはまりやすく、安定した浄化用菌の担持がなされ、浄化用菌の浄化活動が円滑に行なわれ、なら、かしなどの細胞組織の密な国産材の炭粉を使用した場合に比べると、優れた水浄化効果が得られる。また、炭粉に代えて粉状の活性炭を用いた場合は細孔のサイズが炭に比べさらに小さいので、浄化用菌が水処理時にさらに安定して担持されにくく、長期にわたる優れた水浄化効果を得ることができない。
【００１８】
このような南洋材としては、ラミン、ゴム、ラワン、カポール、テレンタン、メランティ、ゲロンガン、ピサンピサン、ファルカータ、プナ、ケンパス、バラン、ビンタングル、ニャトー、アガチス、が例示されるが成長が速く細胞組織が粗くて大きいものであればこれらに限定されない。
【００１９】
南洋材に限らず、本考案において使用する木材の気乾比重が０．５以下であることが細孔のサイズが大きい炭化物を使用できて好ましい。例えば、気乾比重０．５以下の桐、杉類、松類のような木材であることが好ましい。
【００２０】
また、炭粉に用いる炭としては上記セルロース系物質が４５０℃以上、８００℃未満で炭化焼成されたものであることが好ましい。炭化焼成温度が、例えばいわゆる白炭や備長炭におけるように、８００℃以上であると、炭が過度にアルカリ性となり、水処理時に浄化用菌の増殖や活動が妨げられて浄化能力が最大限には発揮されない傾向にある。炭化焼成温度が４５０℃を下回ると炭が酸性となり、水処理時に浄化用菌の増殖や活動が妨げられて浄化能力が最大限には発揮されない傾向にある。
【００２１】
炭粉は、炭を公知の粉砕手段により粉砕して得てもよい。おがくずや木材の粉砕物などの、木材の粒状物を焼成して得てもよい。
【００２２】
本考案に用いられる粒体状水浄化剤は、未使用状態では浄化用菌が乾燥により休眠状態にあるので性能を低下させることなく未使用状態での長期の保存が可能である。
【００２３】
また、本考案においては、浄化用菌を用いるかわりに浄化用菌の培養物を用いてもよい。浄化用菌とその培養物とが混合された混合培養物を用いてもよい。培養物とは浄化用菌の培養に用いた培地と浄化用菌の育成に伴ってその培地に放出された化合物や酵素を含むものをいう。浄化用菌自体が水中の化合物を消費して分解できるが、浄化用菌が産生する酵素等も同様の機能を有すると考えられる。
【００２４】
本考案に用いられる粒体状水浄化剤は、炭粉１００重量部に対して、浄化用菌および／またはその培養物５〜２００重量部（乾燥重量換算）が配合されてなることが好ましい。
【００２５】
本考案においては、浄化用菌および／またはその培養物の乾燥物とは、その浄化用菌および／またはその培養物の水分率が５０重量％以下であるものをいう。
【００２６】
本考案に用いられる粒体状水浄化剤は、汚水に浸漬して静置しておく態様で浄化を行う他に、流水の経路の一部分に配置してその流水と接触させる態様で浄化を行うこともできる。
【００２７】
本考案に用いられる粒体状水浄化剤は、接着剤により固化・成形されていないので、炭の活性表面が接着剤により一部分でも封鎖されることがなく、活性表面を浄化のため最大限利用できる。また、浄化用菌の活動が接着剤により制限されることがなく、菌の浄化能力を最大限利用できる。
【００２８】
また、図１に示すように、本考案に用いられる粒体状水浄化剤２は、使用時に汚水中に散逸することを防止するために、布袋、金網製容器等の通水性の壁を有する容器または袋４に収納されて使用されることが好ましい。このような態様の水浄化材１０は、使用後の回収も容易である。
【００２９】
また、図２に示すように、この水浄化材１０を発泡スチロール製ブロック等の浮き１２に連結した浮遊性水浄化材１４は、湖沼等水面近傍に留まらせることにより水浄化を効率的に行わせることができる。
【００３０】
本考案に用いられる粒体状水浄化剤は、浄化用菌として上記ＳＩＩＤ２９２６−１ｂ株（ＦＥＲＭ  ＡＰ−２０１０８）を用いた場合、グリストラップの槽等の油分を含む汚水の浄化にとくに有効である。
【００３１】
実施例１
浄化用菌の培養
水４００重量部に浄化用菌（Ｅｍｐｅｄｏｂａｃｔｏｒ属細菌のＳＩＩＤ２９２６−１ｂ株（ＦＥＲＭ  ＡＰ−２０１０８））０．５重量部、グルコース１０重量部、ペプトン５重量部、酵母エキス２．５重量部を添加し、３０℃で５日間培養し培養液を得た。この配合比率によるこの培養液４０００重量部に米糠１００００重量部、コーヒー粕１０００重量部、蜂蜜２重量部を加え、発酵熱による温度上昇に注意しつつ５５℃を超えないように適宜攪拌して５日間静置培養し混合培養物を得た。この混合培養物を自然乾燥して乾燥物を得た。この乾燥物の水分率は１５％であった。
【００３２】
炭粉
南洋材であるファルカータを約６００℃で乾留して得た炭を粉砕し、平均粒径約０．５ｍｍの炭粉としたものを用いた。
粒体状水浄化剤
【００３３】
上記炭粉１００重量部、上記乾燥物１０重量部を加えて攪拌混合して粒体状水浄化剤を得た。この粒体状水浄化剤１００ｇを２０ｃｍ方形の通水性の布製の袋に封入して水浄化材（Ａ）とした。
【００３４】
浄化テスト
汚水として小規模個人経営の食堂のグリストラップの槽にこの水浄化材（Ａ）を投入した。投入後、槽内のベトベトした油分が徐々に喪失し、この効果は１ヶ月持続した。投入後１月ごとにこの水浄化材を未使用のものに交換することにより、槽内をサラサラな液の状態に維持できた。
【００３５】
比較例１
布製の袋の内容物を上記乾燥物１００ｇのみとしたほかは実施例１と同様にして水浄化材（Ｂ）とした。実施例１と同様のグリストラップの槽にこの水浄化材（Ｂ）を投入した。投入後、槽内のベトベトした油分の喪失はほとんどみられなかった。
【００３６】
実施例２
乾燥物として、上水道用の浄化槽で採取した、Ｂａｃｉｌｌｕｓ属細菌を含有する活性汚泥を乾燥したもの（水分率１５重量％）を用いた他は実施例１と同様にして水浄化材（Ｃ）を得た。得られた水浄化材（Ｃ）を、ＣＯＤが５０ｐｐｍの汚水を５０リットル入れた汚水槽に投入した。投入から２４時間後の汚水のＣＯＤは２５ｐｐｍであった。
【００３７】
その他、本考案は、主旨を逸脱しない範囲で当業者の知識に基づき種々なる改良、修正、変更を加えた態様で実施できるものである。
【図面の簡単な説明】
【００３８】
【図１】本考案の水浄化材の態様の一例を示す斜視模式図である。
【図２】本考案の浮遊性水浄化材の態様の一例を示す斜視模式図である。
【符号の説明】
【００３９】
２：粒体状水浄化剤
４：袋
１０：水浄化材
１２：浮き
１４：浮遊性水浄化材